(57)【要約】【課題】簡単な構造を有する圧縮ダイスによりスリーブ及び接続する電線の長手方向に波形に湾曲圧縮すると共に接続する電線が一直線状に接続される。【解決手段】雄型ダイス２６の第１突出部２９が、雌型ダイス２７の凹湾曲部３２に対向しているため、圧縮スリーブ２０は、前記第１突出部２９で押されて当該箇所がへこみ、雌型ダイス２７の両端の第３突出部３３が雄型ダイス２６の第１突出部２９と第２突出部３０との間の凹部に対向しているため、圧縮スリーブ２０は、前記第３突出部３３に押されて当該箇所がへこみ、さらに、前記第３突出部３３より外方に位置する雄型ダイス２６の第２突出部３０箇所で、圧縮スリーブ２０を押さえるため、当該圧縮スリーブ２０は波形に圧縮されるが、直線状を維持する。【選択図】        図１
2008262851.tif 000002
【特許請求の範囲】
【請求項１】
パイプ状のスリーブ本体に、接続する電線の把持孔を形成した圧縮スリーブを設け、この圧縮スリーブの両側の把持孔に各電線を挿入して圧縮ダイスにより各電線の外周に圧縮スリーブを圧縮し、把持した電線とともに波状に折り曲げる電線接続方法において、前記圧縮ダイスは雄型ダイスと雌型ダイスとから成り、前記雄型ダイスは接合面に一条の断面湾曲溝を設け、当該断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面に一条の断面湾曲溝を設け、当該断面湾曲溝は中央部が深く凹湾曲し、両端部が接合面方向に持ち上がった第３突出部を形成し、かつ中央部の凹湾曲部は前記雄型ダイスの第１突出部に対向し、両端部の第３突出部が雄型ダイスの第１突出部と第２突出部との間の凹部に対向して位置するよう構成され、電線を把持した前記圧縮スリーブを当該圧縮ダイスで圧縮した際、当該圧縮スリーブが、把持した電線と共に波状に折り曲げられることを特徴とする、電線接続方法。
【請求項２】
圧縮ダイスは雄型ダイスと雌型ダイスとから成り、前記雄型ダイスは接合面に一条の断面湾曲溝を設け、当該断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面に一条の断面湾曲溝を設け、当該断面湾曲溝は中央部が深く凹湾曲し、両端部が接合面方向に持ち上がった第３突出部を形成し、かつ中央部の凹湾曲部は前記雄型ダイスの第１突出部に対向し、両端部の第３突出部が雄型ダイスの第１突出部と第２突出部との間の凹部に対向して位置するよう構成されたことを特徴とする、電線接続用圧縮ダイス。
【請求項３】
板状のスリーブ本体を折り曲げて、接続する複数の電線の把持溝を複数並行に形成した圧縮スリーブを設け、この圧縮スリーブの各把持溝に各電線を挿入して圧縮ダイスにより当該圧縮スリーブを圧縮し、把持した電線とともに波状に折り曲げる電線接続方法において、上記圧縮ダイスは雄型ダイスと雌型ダイスとから成り、前記雄型ダイスは接合面に複数条の断面湾曲溝を設け、当該各断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面の前記雄型ダイスの複数条の断面湾曲溝に夫々対応した位置に複数条の断面湾曲溝を設け、当該各断面湾曲溝は中央部が深く凹湾曲し、両端部が接合面方向に持ち上がった第３突出部を形成し、かつ中央部の凹湾曲部は前記雄型ダイスの対応する断面湾曲溝の第１突出部に対向し、両端部の第３突出部が雄型ダイスの対応する断面湾曲溝の第１突出部と第２突出部との間の凹部に対向して構成され、前記複数の電線を把持した前記圧縮スリーブを当該圧縮ダイスで圧縮した際、当該圧縮スリーブが把持した各電線と共に波状に折り曲げられることを特徴とする、電線接続方法。
【請求項４】
雄型ダイスと雌型ダイスとから成り、雄型ダイスは接合面に複数条の断面湾曲溝を設け、当該各断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面の前記雄型ダイスの複数条の断面湾曲溝に夫々対応した位置に複数条の断面湾曲溝を設け、当該各断面湾曲溝は中央部が深く凹湾曲し、両端部が接合面方向に持ち上がった第３突出部を形成し、かつ中央部の凹湾曲部は前記雄型ダイスの対応する断面湾曲溝の第１突出部に対向し、両端部の第３突出部が雄型ダイスの対応する断面湾曲溝の第１突出部と第２突出部との間の凹部に対向して位置するよう構成されたことを特徴とする、電線接続用圧縮ダイス。
【発明の詳細な説明】
【技術分野】
【０００１】
この発明は、電線の幹線相互、幹線と分岐線等の適宜の電線接続用の圧縮スリーブを用いた電線接続方法及びこの方法に使用する電線接続用圧縮ダイスに関するものである。
【背景技術】
【０００２】
電線の幹線と分岐線等の二つの電線を把持する電線接続用圧縮スリーブの電線把持力を強化するため、図１３及び図１４に示すように、板状のスリーブ本体を折り曲げて、接続する二本の各電線２、３の把持溝を設けた圧縮スリーブであり、これらの各把持溝に各電線２、３を挿入して各電線２、３の外周に圧縮スリーブ１の両側部を巻き付け、さらに各電線２、３の長手方向に圧縮スリーブ１を、把持した電線２、３とともに波状に折り曲げて、波状突出部を設ける電線接続構造が開発されている。
【０００３】
この電線接続構造を実現させるための圧縮ダイスは、図１５及び図１６に示すように、雄型ダイス５と雌型ダイス６とから成り、雄型ダイス５は一側面５ａに突部７を設け、この突部７の上面に二条の断面湾曲溝８を設け、これらの各湾曲溝８の長手方向の中央部を湾曲縁を形成しつつ突部上面までせり上げて波状凸部９を夫々設け、かつこれらの各波状凸部９の間に、これらの波状凸部９より高く、平面が略ひし形の中央台座部１０を設けている。また、一方、前記雌型ダイス６は一側面６ａに、前記雄型ダイス５の突部７が挿入自在な凹部１１を設け、この凹部１１の底面に長手方向に二条の断面湾曲溝１２を設け、これらの各断面湾曲溝１２の長手方向の中央部に波形凹溝１３を夫々設けたものである。そして、図１７に示すように、雄型ダイス５の突部７に雌型ダイス６の凹部１１を嵌めて圧縮スリーブ１を、電線２、３とともに圧縮するものである。
【０００４】
しかしながら、これらの圧縮ダイスで電線２、３を圧縮スリーブ１とともに波状に折り曲げると、接続された電線２、３が、図１８に示すように、波状突部４を中心に折れ曲がってしまい、直線状に接続できない。従って、当該電線圧縮接続部に絶縁カバーをかけることが困難であった。
【０００５】
そこで、特許文献１に示すように、各ダイスの断面湾曲溝が前記各波形凸部９及び前記各波形凹溝１３から長手方向の両端部に向かって折曲方向と反対方向に反っている圧縮ダイスを用いて接続することが考えられた。
【特許文献１】特許第２６５５３９６号公報
【発明の開示】
【発明が解決しようとする課題】
【０００６】
この特許文献１のものは、スリーブ及び接続する電線の長手方向に波形に湾曲し、これが一直線状になる。しかし、雄型ダイス５及び雌型ダイス６の構成が複雑であり、製造しにくく、当該ダイスを製造するのにコストが高くなる。また、この方法に使用する圧縮ダイスは一回の圧縮で形成される波形の凹凸数が少ないため、スリーブと電線との接触が不完全となる場合があった。
【０００７】
そこで、この発明は、これらの従来技術を考慮し、簡単な構造を有する圧縮ダイスにより、スリーブ及び接続する電線の長手方向に波形圧縮を形成するものであってもスリーブ及び電線が一直線状に接続され、かつ一度の圧縮でスリーブの長手方向に複数の波形圧縮が形成されてスリーブと電線の接触がより確実になる、電線接続方法及びこれに用いる圧縮ダイスを提供し、前記課題を解決しようとするものである。
【課題を解決するための手段】
【０００８】
請求項１の発明は、パイプ状のスリーブ本体に、接続する電線の把持孔を形成した圧縮スリーブを設け、この圧縮スリーブの両側の把持孔に各電線を挿入して圧縮ダイスにより各電線の外周に圧縮スリーブを圧縮し、把持した電線とともに波状に折り曲げる電線接続方法において、前記圧縮ダイスは雄型ダイスと雌型ダイスとから成り、前記雄型ダイスは接合面に一条の断面湾曲溝を設け、当該断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面に一条の断面湾曲溝を設け、当該断面湾曲溝は中央部が深く凹湾曲し、両端部が接合面方向に持ち上がった第３突出部を形成し、かつ中央部の凹湾曲部は前記雄型ダイスの第１突出部に対向し、両端部の第３突出部が雄型ダイスの第１突出部と第２突出部との間の凹部に対向して位置するよう構成され、電線を把持した前記圧縮スリーブを当該圧縮ダイスで圧縮した際、当該圧縮スリーブが、把持した電線と共に波状に折り曲げられる、電線接続方法とした。
【０００９】
請求項２の発明は、圧縮ダイスは雄型ダイスと雌型ダイスとから成り、前記雄型ダイスは接合面に一条の断面湾曲溝を設け、当該断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面に一条の断面湾曲溝を設け、当該断面湾曲溝は中央部が深く凹湾曲し、両端部が接合面方向に持ち上がった第３突出部を形成し、かつ当該断面湾曲溝の中央部の凹湾曲部は前記雄型ダイスの第１突出部に対向し、両端部の第３突出部が雄型ダイスの第１突出部と第２突出部との間の凹部に対向して位置するよう構成された、電線接続用圧縮ダイスとした。
【００１０】
請求項３の発明は、板状のスリーブ本体を折り曲げて、接続する複数の電線の把持溝を複数並行に形成した圧縮スリーブを設け、この圧縮スリーブの各把持溝に各電線を挿入して圧縮ダイスにより当該圧縮スリーブを圧縮し、把持した電線とともに波状に折り曲げる電線接続方法において、上記圧縮ダイスは雄型ダイスと雌型ダイスとから成り、前記雄型ダイスは接合面に複数条の断面湾曲溝を設け、当該各断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面の前記雄型ダイスの複数条の断面湾曲溝に夫々対応した位置に複数条の断面湾曲溝を設け、当該各断面湾曲溝は中央部が深く凹湾曲し、両端部が接合面方向に持ち上がった第３突出部を形成し、かつ中央部の凹湾曲部は前記雄型ダイスの対応する断面湾曲溝の第１突出部に対向し、両端部の第３突出部が雄型ダイスの対応する断面湾曲溝の第１突出部と第２突出部との間の凹部に対向して構成され、前記複数の電線を把持した前記圧縮スリーブを当該圧縮ダイスで圧縮した際、当該圧縮スリーブが把持した各電線と共に波状に折り曲げられる、電線接続方法とした。
【００１１】
また、請求項４の発明は、雄型ダイスと雌型ダイスとから成り、雄型ダイスは接合面に複数条の断面湾曲溝を設け、当該各断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面の前記雄型ダイスの複数条の断面湾曲溝に夫々対応した位置に複数条の断面湾曲溝を設け、当該各断面湾曲溝は中央部が深く凹湾曲し、両端部が接合面方向に持ち上がった第３突出部を形成し、かつ中央部の凹湾曲部は前記雄型ダイスの対応する断面湾曲溝の第１突出部に対向し、両端部の第３突出部が雄型ダイスの対応する断面湾曲溝の第１突出部と第２突出部との間の凹部に対向して位置するよう構成された、電線接続用圧縮ダイスとした。
【発明の効果】
【００１２】
請求項１の発明によれば、二つの電線を直線状に接続する際、極めて簡単な構造のダイスを用いて、電線接続用スリーブを波形に圧縮すると共にこれらのスリーブ及び接続された電線を一直線状に接続することができる。この様に波形圧縮であってもスリーブは曲がらないため、電線圧縮接続後の絶縁カバーの挿入がスムーズに行える。また、当該電線接続用スリーブは通常人目にふれる電線設備に使用されるため、電線接続部が直線状態となることで、公衆的な美観が確保できるという効果もある。また、この接続に使用する圧縮ダイスによれば、一度の圧縮でスリーブの長手方向に複数の波形圧縮が形成されるため、スリーブと電線の接触がより確実強固になる。しかも、この様に強固な接続であっても、電線への圧縮力は従来の通常圧縮と比べて小さくでき、それ故、電線へのダメージが少ない。
【００１３】
また、請求項２の発明のダイスは、構造が極めて簡単で、製造し易い。また、大きさ等も従来の圧縮ダイスと変わらないため、従来から使用されている圧縮工具を用いることが出来、汎用性があり便利である。
【００１４】
また、請求項３の発明によれば、幹線と分岐線との接続等複数の電線を平行に接続する場合においても、極めて簡単な構造のダイスを用いて、電線接続用スリーブを波形に圧縮すると共にこれらのスリーブ及び接続された電線を直線状に接続することができる。この様に波形圧縮であってもスリーブは曲がらず、直線状を保つため、電線圧縮接続後の絶縁カバーの挿入がスムーズに行える。また、当該電線接続用スリーブは通常人目にふれる電線設備に使用されるため、電線接続部が直線状態となることで、公衆的な美観が確保できるという効果もある。また、この接続に使用する圧縮ダイスによれば、一度の圧縮でスリーブの長手方向に複数の波形圧縮が形成されるため、スリーブと電線の接触がより確実強固になる。しかも、この様に強固な接続であっても、電線への圧縮力は従来の通常圧縮と比べて小さくでき、それ故、電線へのダメージが少ない。また、請求項４の発明のダイスは、構造が極めて簡単で、製造し易く、大きさ等も従来の圧縮ダイスと変わらないため、従来から使用されている圧縮工具を用いることが出来、汎用性があり便利である。
【発明を実施するための最良の形態】
【００１５】
この発明は、パイプ状のスリーブ本体に、接続する電線の把持孔を形成した圧縮スリーブを設け、この圧縮スリーブの両側の把持孔に各電線を挿入して圧縮ダイスにより各電線の外周に圧縮スリーブを圧縮し、把持した電線とともに波状に折り曲げる電線接続方法において、前記圧縮ダイスは雄型ダイスと雌型ダイスとから成り、前記雄型ダイスは接合面に一条の断面湾曲溝を設け、当該断面湾曲溝は、中央部に当該溝を横切り、前記接合面近くまで持ち上がった第１突出部を設け、また、両端部に当該溝を横切り、前記接合面方向に持ち上がった第２突出部を設け、前記雌型ダイスは接合面に一条の断面湾曲溝を設け、当該断面湾曲溝は中央部が深く凹湾曲し、両端部が接合面方向に持ち上がった第３突出部を形成し、かつ前記中央部の凹湾曲部は前記雄型ダイスの第１突出部に対向し、前記両端部の第３突出部が雄型ダイスの第１突出部と第２突出部との間の凹部に対向して位置するよう構成され、電線を把持した前記圧縮スリーブを当該圧縮ダイスで圧縮した際、当該圧縮スリーブが曲がらずに把持した電線と共に波状に圧縮される。
【実施例１】
【００１６】
以下、この発明の実施例を図に基づいて説明する。
図２はこの発明の方法に用いる電線接続用の圧縮スリーブ２０であり、当該電線接続用の圧縮スリーブ２０は、略パイプ形状で貫通孔２１の中央部にスペーサ２２を設け、前記貫通孔２１の両端開口部がテーパー状に開化している。
【００１７】
図３はこの発明の圧縮ダイス２５の縦断面図であり、図４は側面図である。また、図５は前記圧縮スリーブ２５の雄型ダイスの斜視図であり、図６は同雌型ダイスの斜視図である。この圧縮ダイス２５は、雄型ダイス２６と雌型ダイス２７とから成り、前記雄型ダイス２６は、前記雌型ダイス２７との接合面２６ａに一条の断面湾曲溝２８を設け、当該断面湾曲溝２８の長手方向の中央部に当該溝を横切り、前記接合面２６ａ近くまで持ち上がった、湾曲形状の第１突出部２９を設け、また、両端部に当該溝を横切り、前記接合面２６ａ方向に持ち上がった、湾曲形状の第２突出部３０を設けている。ただし、この第２突出部３０は前記第１突出部２９よりやや低い。
【００１８】
また、前記雌型ダイス２７は、前記雄型ダイス２６との接合面２７ａに一条の断面湾曲溝３１を設け、当該断面湾曲溝３１の長手方向の中央部は深く凹湾曲して凹湾曲部３２を形成し、当該湾曲溝３１の両端部は前記接合面２７ａ方向に持ち上がった、湾曲形状の第３突出部３３を形成しており、かつ前記中央部の凹湾曲部３２は前記雄型ダイス２６の第１突出部２９に対向し、両端部の第３突出部３３が雄型ダイス２６の第１突出部２９と第２突出部３０との間の凹部に対向して位置するよう構成されている。従って、当該雌型ダイス２７は軸方向の長さが前記雄型ダイス２６より短くなっている。
【００１９】
これらの雄型ダイス２６と雌型ダイス２７は、図４に示すように、前記接合面２６ａと前記接合面２７ａとで接合し、略管状に形成される。
【００２０】
この圧縮ダイス２５を用いて、電線３４、３５を前記圧縮スリーブ２０で接続するには、まず、図７に示すように、前記電線接続スリーブ２０の両側の貫通孔２１にコンパウンド（図示省略）を入れ、それから電線３４、３５の芯線を挿入する。そして、前記圧縮ダイス２５の雄型ダイス２６と雌型ダイス２７を図外の圧縮工具に嵌め入れ、前記圧縮スリーブ２０の外周に雄型ダイス２６と雌型ダイス２７をあてがい、圧縮する。この様な圧縮を、前記圧縮スリーブ２０の外周に沿って、片側で３箇所、両側で６箇所行う。これにより、図８に示すように、把持する電線ごと圧縮スリーブは波形に圧縮され、かつ圧縮スリーブ２０が曲がらずに圧縮される。
【００２１】
この圧縮は、図１に示すように、雄型ダイス２６の第１突出部２９が、雌型ダイス２７の凹湾曲部３２に対向しているため、圧縮スリーブ２０は、前記第１突出部２９で押されて当該箇所がへこみ、また、雌型ダイス２７の両端の第３突出部３３が雄型ダイス２６の第１突出部２９と第２突出部３０との間の凹部に対向しているため、圧縮スリーブ２０は、前記第３突出部３３に押されて当該箇所がへこみ、さらに、前記雌型ダイス２７の両端の第３突出部３３より外方に位置する雄型ダイス２６の第２突出部３０箇所で、圧縮スリーブ２０を押さえるため、当該圧縮スリーブ２０は波形に圧縮されるが、直線状を維持する。加えて、一回の圧縮で上下に複数の波形が形成される。
【実施例２】
【００２２】
この発明の実施例２は、図１１や前記図１３の分岐用圧縮スリーブに二本の電線を平行に接続する場合である。この場合も圧縮ダイスにおける雄型ダイス及び雌型ダイスの各断面湾曲溝の構成は前記実施例１のものと同じである。図９はこの実施例２における雄型ダイス３６を示し、接合面３６ａに、二条の断面湾曲溝３７、３７を並べ設けており、各断面湾曲溝３７  の形状は前記実施例１の断面湾曲溝２８と同じである。異なる点は、これらの二条の断面湾曲溝３７、３７との間の接合面３６ｂを、このダイス３６の両側の接合面３６ａより低くし、後述の雌型ダイス３８の対応する接合面３８ｂとの間に間隙を設け、前記圧縮スリーブ１の中央平坦部を当該間隙に収納するようになっている。
【００２３】
また、図１０はこの実施例２における雌型ダイス３８を示し、当該雌型ダイス３８も軸方向の長さが前記雄型ダイス３６より短く、接合面３８ａに、二条の断面湾曲溝３９、３９を並べて設けており、各断面湾曲溝３９の形状、構造は前記実施例１の断面湾曲溝３１と同じである。
【００２４】
この実施例２の場合も、図１１に示す圧縮スリーブ４０の二つの電線把持溝４１、４１に電線４２、４３を入れて、当該雄型ダイス３６と雌型ダイス３８とにより、圧縮する。これにより、図１２に示すように、把持する電線ごと圧縮スリーブ１は波形に圧縮され、かつ圧縮スリーブ１が曲がらずに圧縮され、直線を維持する。また、図１３の分起用圧縮スリーブにおいても、図１２に示すように圧縮される。
【図面の簡単な説明】
【００２５】
【図１】この発明の実施例１の圧縮スリーブへの圧縮状態を示す概略正面図である。
【図２】この発明の実施例１に使用する圧縮スリーブの断面正面図である。
【図３】この発明の実施例1の圧縮ダイスの断面正面図である。
【図４】この発明の実施例１の圧縮ダイスの側面図である。
【図５】この発明の実施例１の雄型ダイスの接合面をうえにした斜視図である。
【図６】この発明の実施例１の雌型ダイスの接合面をうえにした斜視図である。
【図７】この発明の実施例１の圧縮スリーブに電線を挿入した状態を示す断面正面図である。
【図８】この発明の実施例１の圧縮スリーブを圧縮した状態を示す正面図である。
【図９】この発明の実施例２の雄型ダイスの接合面を上にした斜視図である。
【図１０】この発明の実施例２の雌型ダイスの接合面を上にした斜視図である。
【図１１】この発明の実施例２に使用する圧縮スリーブの斜視図である。
【図１２】この発明の実施例２の圧縮スリーブを圧縮した状態を示す斜視図である。
【図１３】この発明の実施例２に使用する他の圧縮スリーブの斜視図である。
【図１４】従来の圧縮ダイスにより波形圧縮された圧縮スリーブの平面図である。
【図１５】従来の波形圧縮スリーブの圧縮に使用する雄型ダイスの斜視図である。
【図１６】従来の波形圧縮スリーブの圧縮に使用する雌型ダイスの斜視図である
【図１７】従来の波形圧縮スリーブの圧縮状態を示す断面説明図である。
【図１８】従来の圧縮ダイスにより波形圧縮された圧縮スリーブの正面図である。
【符号の説明】
【００２６】
１      圧縮スリーブ                ２      電線
３      電線                        ４      波状突部
５      雄型ダイス                  ６      雌型ダイス
７      突部                        ８      断面湾曲溝
９      波形凸部                    １０      中央台座部
１１      凹部                      １２      断面湾曲溝
１３      波形凹溝                  ２０      圧縮スリーブ
２１      貫通孔                    ２２      スペーサ
２５      圧縮ダイス                ２６      雄型ダイス
２７      雌型ダイス                ２８      断面湾曲溝
２９      第１突出部                ３０      第２突出部
３１      断面湾曲溝                ３２      凹湾曲部
３３      第３突出部                ３４      電線
３５      電線                      ３６      雄型ダイス
３７      断面湾曲溝                ３８      雌型ダイス
３９      断面湾曲溝                ４０      圧縮スリーブ
４１      電線把持溝                ４２      電線
４３      電線
【図１】
2008262851.tif 000003
【図２】
2008262851.tif 000004
【図３】
2008262851.tif 000005
【図４】
2008262851.tif 000006
【図５】
2008262851.tif 000007
【図６】
2008262851.tif 000008
【図７】
2008262851.tif 000009
【図８】
2008262851.tif 000010
【図９】
2008262851.tif 000011
【図１０】
2008262851.tif 000012
【図１１】
2008262851.tif 000013
【図１２】
2008262851.tif 000014
【図１３】
2008262851.tif 000015
【図１４】
2008262851.tif 000016
【図１５】
2008262851.tif 000017
【図１６】
2008262851.tif 000018
【図１７】
2008262851.tif 000019
【図１８】
2008262851.tif 000020